【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
射出する光の波長を掃引する光源部から射出された光を眼底に照射する照射光と参照光とに分岐し、前記照射光が照射された前記眼底からの反射光と前記参照光とを干渉する干渉部と、
前記眼底において前記照射光を走査する走査部と、
前記干渉部により干渉して得た干渉光を検出する検出部と、
前記検出部が前記干渉光を検出して得たアナログ信号をデジタル信号に変換する変換部と、
前記光源部から射出された光のうち一部の光が通る光路が第一光路と前記第一光路に対して光路長差を有する第二光路とに分岐された干渉計として構成され、前記変換部が前記アナログ信号を前記光路長差に対応する周波数でサンプリングするためのクロックを生成するクロック発生部と、
前記生成されたクロックにより前記変換部がサンプリングした前記アナログ信号を変換して得た前記デジタル信号に基づいて、前記眼底の断層像を取得する断層像取得部と、を有する撮像装置であって、
前記走査部は、前記眼底において前記照射光を走査する角度が空気中で換算して４７度以上となるように構成されており、
前記変換部は、ｎ個（ｎは２以上の整数）のＡ／Ｄ変換器を含み、前記光路長差に対応する周波数のクロックから得たｎ個のクロックの位相を互いに位相差が生じるように変更し、前記ｎ個のＡ／Ｄ変換器が前記ｎ個のクロックと前記アナログ信号から得たｎ個のアナログ信号とを用いることにより、前記光路長差に対応する周波数のｎ倍の周波数のクロックにより前記アナログ信号をサンプリングするように構成されていることを特徴とする撮像装置。
【請求項２】
前記変換部は、前記断層像の深さ範囲に応じて使用するＡ／Ｄ変換器の数を切り替えることにより、前記アナログ信号をサンプリングするクロックを切り替えることを特徴とする請求項１に記載の撮像装置。
【請求項３】
前記変換部は、前記断層像の深さ範囲が４．０ｍｍ以上である第１の範囲と前記深さ範囲が４．０ｍｍ未満である第２の範囲とが切り替わるように、前記ｎ倍の周波数のクロックを切り替えることを特徴とする請求項１または２に記載の撮像装置。
【請求項４】
前記断層像取得部は、前記ｎ倍の周波数のクロックにより前記変換部がサンプリングした得たデータを間引き、前記間引かれたデータをフーリエ変換することにより、前記断層像の深さ範囲が狭い断層像を取得することを特徴とする請求項１乃至３のいずれか１項に記載の撮像装置。
【請求項５】
ｎ＝２であり、
前記変換部は、２つのクロックのうち一方に対して他方を反転する反転回路を更に含み、前記反転回路により前記位相差が１８０度になるように構成されていることを特徴とする請求項１乃至４のいずれか１項に記載の撮像装置。
【請求項６】
射出する光の波長を掃引する光源部から射出された光を眼底に照射する照射光と参照光とに分岐し、前記照射光が照射された前記眼底からの反射光と前記参照光とを干渉する干渉部と、
前記眼底において前記照射光を走査する走査部と、
前記干渉部により干渉して得た干渉光を検出する検出部と、
前記検出部が前記干渉光を検出して得たアナログ信号をデジタル信号に変換する変換部と、
前記光源部から射出された光のうち一部の光が通る光路が第一光路と前記第一光路に対して光路長差を有する第二光路とに分岐された干渉計として構成され、前記変換部が前記アナログ信号を前記光路長差に対応する周波数でサンプリングするためのクロックを生成するクロック発生部と、
前記生成されたクロックにより前記変換部がサンプリングした前記アナログ信号を変換して得た前記デジタル信号に基づいて、前記眼底の断層像を取得する断層像取得部と、を有する撮像装置であって、
前記走査部は、前記眼底において前記照射光を走査する角度が空気中で換算して４７度以上となるように構成されており、
前記変換部は、前記光路長差に対応する周波数のクロックから得た２つのクロックのうち一方に対して他方を反転する反転回路と、前記一方を用いて前記アナログ信号をサンプリングする第１のＡ／Ｄ変換器と、前記反転された他方を用いて前記アナログ信号をサンプリングする第２のＡ／Ｄ変換器と、を含むように構成されていることを特徴とする撮像装置。
【請求項７】
前記変換部は、前記第１のＡ／Ｄ変換器及び前記第２のＡ／Ｄ変換器が前記アナログ信号をサンプリングすることにより、前記光路長差に対応する周波数の２倍の周波数のクロックにより前記アナログ信号をサンプリングするように構成されていることを特徴とする請求項６に記載の撮像装置。
【請求項８】
前記変換部は、前記第１のＡ／Ｄ変換器及び前記第２のＡ／Ｄ変換器が前記アナログ信号をサンプリングすることにより、前記光路長差に対応する周波数のクロックの立ち上がりと立ち下がりとの両方を用いて前記アナログ信号をサンプリングするように構成されていることを特徴とする請求項６または７に記載の撮像装置。
【請求項９】
前記クロック発生部は、前記光路長差に対応する周波数のクロックから得た２つのクロックのうち一方に対して他方を反転することにより、前記クロックを差動信号として生成するように構成されていることを特徴とする請求項１乃至８のいずれか１項に記載の撮像装置。
【請求項１０】
射出する光の波長を掃引する光源部から射出された光を眼底に照射する照射光と参照光とに分岐し、前記照射光が照射された前記眼底からの反射光と前記参照光とを干渉する干渉部と、
前記眼底において前記照射光を走査する走査部と、
前記干渉部により干渉して得た干渉光を検出する検出部と、
前記検出部が前記干渉光を検出して得たアナログ信号をデジタル信号に変換する変換部と、
前記光源部から射出された光のうち一部の光が通る光路が第一光路と前記第一光路に対して光路長差を有する第二光路とに分岐された干渉計として構成され、前記変換部が前記アナログ信号を前記光路長差に対応する周波数でサンプリングするためのクロックを生成するクロック発生部と、
前記生成されたクロックにより前記変換部がサンプリングした前記アナログ信号を変換して得た前記デジタル信号に基づいて、前記眼底の断層像を取得する断層像取得部と、を有する撮像装置であって、
前記走査部は、前記眼底において前記照射光を走査する角度が空気中で換算して４７度以上となるように構成されており、
前記クロック発生部は、前記光路長差に対応する周波数のクロックから得た２つのクロックのうち一方に対して他方を反転することにより、前記クロックを差動信号として生成するように構成されていることを特徴とする撮像装置。
【請求項１１】
前記走査する角度を４７度以上である第１の角度と４７度未満である第２の角度とで変更するように前記走査部を制御する制御部を更に有することを特徴とする請求項１乃至１０のいずれか１項に記載の撮像装置。
【請求項１２】
前記眼底の黄斑と視神経乳頭とのいずれか一つを撮像する狭画角撮像モードを含む複数の撮像モードのうちいずれかの撮影モードを選択する選択部を更に有し、
前記制御部は、前記狭画角撮像モードが選択された場合、前記第２の角度で前記照射光が走査されるように前記走査部を制御することを特徴とする請求項１１に記載の撮像装置。
【請求項１３】
前記複数の撮像モードは、前記眼底の黄斑と視神経乳頭とを撮像する広画角撮像モードを更に含み、
前記制御部は、前記広画角撮像モードが選択された場合、前記第１の角度で前記照射光が走査されるように前記走査部を制御することを特徴とする請求項１２に記載の撮像装置。
【請求項１４】
前記変換部は、前記広画角撮像モードが選択された場合には前記断層像の深さ範囲が４．０ｍｍ以上である第１の範囲になるように、前記狭画角撮像モードが選択された場合には前記断層像の深さ範囲が４．０ｍｍ未満である第２の範囲になるように、前記ｎ倍の周波数のクロックを切り替えることを特徴とする請求項１３に記載の撮像装置。
【請求項１５】
前記複数の撮像モードは、前記眼底の硝子体を観察するための硝子体観察モードを含み、
前記制御部は、前記硝子体観察モードが選択された場合、前記第２の角度で前記照射光が走査されるように前記走査部を制御し、
前記変換部は、前記断層像の深さ範囲が４．０ｍｍ以上である範囲になるように、前記ｎ倍の周波数のクロックを切り替えることを特徴とする請求項１２乃至１４のいずれか１項に記載の撮像装置。
【請求項１６】
前記変換部は、等波数間隔で前記アナログ信号をサンプリングするように構成されていることを特徴とする請求項１乃至１５のいずれか１項に記載の撮像装置。
【請求項１７】
前記断層像の深さ範囲は、眼球内で５．０ｍｍ以上の範囲であることを特徴とする請求項１乃至１６のいずれか１項に記載の撮像装置。
【請求項１８】
前記断層像の深さ範囲は、眼球内で５．８ｍｍ以上の範囲であることを特徴とする請求項１乃至１７のいずれか１項に記載の撮像装置。
【手続補正２】
【補正対象書類名】明細書
【補正対象項目名】００１０
【補正方法】変更
【補正の内容】
【００１０】
本発明に係る撮像装置の一つは、
射出する光の波長を掃引する光源部から射出された光を眼底に照射する照射光と参照光とに分岐し、前記照射光が照射された前記眼底からの反射光と前記参照光とを干渉する干渉部と、
前記眼底において前記照射光を走査する走査部と、
前記干渉部により干渉して得た干渉光を検出する検出部と、
前記検出部が前記干渉光を検出して得たアナログ信号をデジタル信号に変換する変換部と、
前記光源部から射出された光のうち一部の光が通る光路が第一光路と前記第一光路に対して光路長差を有する第二光路とに分岐された干渉計として構成され、前記変換部が前記アナログ信号を前記光路長差に対応する周波数でサンプリングするためのクロックを生成するクロック発生部と、
前記生成されたクロックにより前記変換部がサンプリングした前記アナログ信号を変換して得た前記デジタル信号に基づいて、前記眼底の断層像を取得する断層像取得部と、を有する撮像装置であって、
前記走査部は、前記眼底において前記照射光を走査する角度が空気中で換算して４７度以上となるように構成されており、
前記変換部は、ｎ個（ｎは２以上の整数）のＡ／Ｄ変換器を含み、前記光路長差に対応する周波数のクロックから得たｎ個のクロックの位相を互いに位相差が生じるように変更し、前記ｎ個のＡ／Ｄ変換器が前記ｎ個のクロックと前記アナログ信号から得たｎ個のアナログ信号とを用いることにより、前記光路長差に対応する周波数のｎ倍の周波数のクロックにより前記アナログ信号をサンプリングするように構成されている。